(57)【要約】  後ろ身頃の左右端縁と前身頃の左右端縁との縫い目、および足ぐりの後ろ足ぐり部の縁がアウターの外観にひびく心配のないショーツ等の衣料を提供する。  前身頃１１の左右端縁１５，１５と後ろ身頃１２の左右端縁１９，１９との縫い目Ｌはヒップの両脇部位に該当するように衣料の正面・背面に対して左右両脇に位置させており、足ぐり１６の後ろ足ぐり部１６ｂの縁は縫目がないヘム仕様またはフリーカットまたはその縁のほつれを止める縁かがりで構成している。
2012023208.tif 000002
【特許請求の範囲】
【請求項１】
足ぐり（１６）を形成する前足ぐり部（１６ａ）を左右対称に形成した伸縮性を有する前身頃（１１）の左右端縁（１５，１５）と、足ぐり（１６）を形成する後ろ足ぐり部（１６ｂ）を左右対称に形成した伸縮性を有する後ろ身頃（１２）の左右端縁（１９，１９）とを縫い合せて構成しているショーツ等の衣料において、
上記前身頃（１１）の左右端縁（１５，１５）と上記後ろ身頃（１２）の左右端縁（１９，１９）との縫い目（Ｌ）はヒップの両脇から前側の部位に位置設定して上記後ろ身頃（１２）をヒップの両脇から後側及び臀溝部に亘って包み込む大きさに形成し、
上記後ろ身頃（１２）の後ろ足ぐり部（１６ｂ）はその縁を縫目がないヘム仕様またはフリーカットまたはその縁のほつれを止める縁かがりで構成していることを特徴とする、ショーツ等の衣料。
【請求項２】
請求項１記載のショーツ等の衣料において、足ぐり（１６）の前足ぐり部（１６ａ）に、生地もしくはレースよりなって太腿部の前面側を覆う大腿部前面覆い部分（２４）を前身頃（１１）に対して前方へ突出する立体形状に縫い付けていることを特徴とする、ショーツ等の衣料。
【請求項３】
請求項１又は２記載のショーツ等の衣料において、後ろ身頃（１２）の左右端縁（１９，１９）の下端部間の幅（Ｐ）は前身頃（１１）の左右端縁（１５，１５）の下端部間の幅（Ｈ）よりも大きく設定していることを特徴とする、ショーツ等の衣料。
【請求項４】
請求項３記載のショーツ等の衣料において、後ろ身頃（１２）の左右端縁（１９，１９）の下端部間の幅寸法をＰとし、前身頃（１１）の左右端縁（１５，１５）の下端部間の幅寸法をＨとしたとき、その比率Ｐ／Ｈは１を超え、２．５以下の範囲に設定していることを特徴とする、ショーツ等の衣料。
【発明の詳細な説明】
【技術分野】
【０００１】
本発明はショーツ、パンツ、水着、レオタード、ブリーフ等の衣料に係り、より詳しくは、ヒップ下部の膨らみ体形へのフィット性に優れ、歩行時や屈み姿勢時等においてヒップ裾ラインがずり上がるのを防止し快適な履き心地のショーツ等の衣料の改良に関する。
【背景技術】
【０００２】
この種のショーツ等の衣料として、先に、同一出願人により、図１５〜図１７に示すように、足ぐり（足口）１６を形成する下方開放状の前足ぐり部１６ａを左右対称に形成した伸縮性を有する前身頃１１の左右端縁１５，１５の各下端部を、左右の前足ぐり部１６ａ，１６ａの下端部と交差させ、かつ、前記左右端縁１５，１５の各上下方向中間部から下端部までの間の部分を外方へ凸形の曲縁１５ａでつなぐ形に裁断し、該曲線１５ａの上下方向中間部より下方部１５ｂは直線または曲線状に形成してあり、伸縮性を有する後ろ身頃１２の左右端縁１９，１９と前身頃１１の左右端縁１５，１５とは縫い合せ、この縫い目Ｌが後部ウエスト部１４，２７からヒップの頂部３０より外側に迂回してヒップ裾ライン（後ろ足ぐり部）１６ｂに至るように形成したものが提案されている（特許文献１参照。）。また、その足ぐり１６の全周（前足ぐり部１６ａ、および前足ぐり部１６ａの下部から後ろ身頃１２に設けた後ろ足ぐり部１６ｂにわたる後ろ足ぐり部領域）には帯状のゴム３１が縫い付けられている。【０００３】
このようなショーツ等の衣料によれば、未着用状態でヒップ部裾回りの体型に近い立体的な適度の膨らみを得ることができるため、着用時にはヒップ裾ライン（後ろ足ぐり部）１６ｂが臀溝部に深くフィットしてヒップ下部を深く包み込むことができることになり、激しく腰を曲げるなどして動いてもヒップ裾ラインのずり上がりをよく防止できる。【０００４】
また、前身頃１１と後ろ身頃１２の縫合線Ｌがヒップ頂部３０を避けて、その頂部３０の外側に迂回するというパターンになるため、ヒップ下部を深く包み込むようにヒップ裾線を下方に延出させるパターンを採用しても、前身頃１１と後ろ身頃１２の縫合線Ｌがヒップ頂部３０を通るようにした在来のものの場合のように直立姿勢時にヒップ下部や臀溝部に相当する箇所に弛みじわやだぶつきを殆ど出す事なく、ヒップを広く深く包み込むことが可能となる。
【先行技術文献】
【特許文献】
【０００５】
【特許文献１】国際公開番号（ＷＯ２０００／０７２７０７）
【発明の概要】
【発明が解決しようとする課題】
【０００６】
しかしながら、上記ショーツ等の衣料では、後ろ身頃１２の左右端縁１９，１９と前身頃１１の左右端縁１５，１５との縫い目Ｌがヒップ頂部３０を避けて、その頂部の外側に迂回させてあるが、このように迂回した縫い目Ｌは依然としてショーツの背面側に存在するため、タイトなアウターを着用したときにはアウターの後側から見てその縫い目Ｌのラインがわかりアウターの外観にひびくという心配があった。【０００７】
また、前足ぐり部１６ａの下部から後ろ身頃１２に設けた後ろ足ぐり部１６ｂにわたる後ろ足ぐり部領域にわたって帯状のゴム３１が縫い付けられているため、その後ろ足ぐり部領域に段差ができ、アウターの後側から見てその帯状ゴム３１の縫目の厚みがアウターの外観にひびくという不安があった。【０００８】
本発明は、このような問題点を解決するためになされたもので、ヒップ下部をきれいに深く包み込むことができ、ヒップ裾ラインのずり上がりを防止できることを確保し得ながら、後ろ身頃の左右端縁と前身頃の左右端縁との縫い目、および後ろ足ぐり部の縁がアウターの外観にひびく心配のないショーツ等の衣料を提供することを目的とする。
【課題を解決するための手段】
【０００９】
本発明の請求項１に係るショーツ等の衣料は、その発明の内容を理解しやすくするために図１〜図１４に付した符号を付けて説明すると、足ぐり（１６）を形成する前足ぐり部（１６ａ）を左右対称に形成した伸縮性を有する前身頃（１１）の左右端縁（１５，１５）と、足ぐり（１６）を形成する後ろ足ぐり部（１６ｂ）を左右対称に形成した伸縮性を有する後ろ身頃（１２）の左右端縁（１９，１９）とを縫い合せて構成しているショーツ等の衣料において、
上記前身頃（１１）の左右端縁（１５，１５）と上記後ろ身頃（１２）の左右端縁（１９，１９）との縫い目（Ｌ）はヒップの両脇から前側の部位に位置設定して上記後ろ身頃（１２）をヒップの両脇から後側及び臀溝部に亘って包み込む大きさに形成し、
上記後ろ身頃（１２）の後ろ足ぐり部（１６ｂ）はその縁を縫目がないヘム仕様またはフリーカットまたはその縁のほつれを止める縁かがりで構成していることを特徴とするものである。【００１０】
上記のように構成された衣料によれば、後ろ身頃（１２）でヒップの両脇から後側及び臀溝部に亘って広く包み込むので、腰を繰り返し曲げるなどして動いてもヒップ裾ラインのずり上がりを効果的に防止することができる。      【００１１】
特に、前身頃（１１）の左右端縁（１５，１５）と後ろ身頃（１２）の左右端縁（１９，１９）との縫い目（Ｌ）はヒップの後側に位置しないため、タイトな薄いアウターを着用したとしてもアウターの後側から見てその縫い目（Ｌ）が見えず（または非常に見えにくくなり）、アウターのヒップ面にひびいてアウターの外観を低下させるという心配を解消することができる。
また、足ぐり（１６）の後ろ足ぐり部（１６ｂ）の縁は、縫目がないヘム仕様または切り放しのままにするフリーカットまたはその縁のほつれを止める縁かがりで構成しているので、後ろ足ぐり部の段差ができず、アウターのヒップ下側の外観を向上させることができる。【００１２】
請求項２に係る発明は、請求項１記載のショーツ等の衣料において、前足ぐり部（１６ａ）に、生地もしくはレースからなって太腿部の前面側を覆う大腿部前面覆い部分（２４）を前身頃（１１）に対して前方へ突出する立体形状に縫い付けていることを特徴とするものである。
これによると、前足ぐり部（１６ａ）に大腿部前面覆い部分（２４）を前身頃（１１）に対して前方へ突出する立体形状に縫い付けているため、座っても大腿部前面覆い部分（２４）が巻き上がらず、圧迫しないため、着用者は足を動かしやすくなる。
特に、後ろ足ぐり部（１６ｂ）は縫目がないヘム仕様または切り放しのままにするフリーカットまたはその縁のほつれを止める縁かがりで構成し、前足ぐり部（１６ａ）のみに大腿部前面覆い部分（２４）を縫い付けているため、足の動かしやすさを確保し得ながら後ろ足ぐり部（１６ｂ）がアウターの外観にひびくのを防ぐことができる。【００１３】
請求項３に係る発明は、請求項１又は２記載のショーツ等の衣料において、後ろ身頃（１２）の左右端縁（１９，１９）の下端部間の幅（Ｐ）は前身頃（１１）の左右端縁（１５，１５）の下端部間の幅（Ｈ）よりも大きく設定していることを特徴とするものである。
これによると、後ろ身頃（１２）の左右端縁（１９，１９）の下端部間の幅寸法（Ｐ）を前身頃（１１）の左右端縁（１５，１５）の下端部間の幅寸法（Ｈ）よりも大きくすることで、ヒップを脇から広く包み込むことができるので、屈伸時におけるヒップ裾ラインのずり上がり防止効果をより高めることができる。【００１４】
請求項４に係る発明は、請求項３記載のショーツ等の衣料において、後ろ身頃（１２）の左右端縁（１９，１９）の下端部間の幅寸法をＰとし、前身頃（１１）の左右端縁（１５，１５）の下端部間の幅寸法をＨとしたとき、その比率Ｐ／Ｈは１を超え、２．５以下の範囲に設定していることに特徴を有するものである。Ｐ／Ｈが１未満ではヒップを脇から包み込むことが不十分になり、Ｐ／Ｈが２．５を超えると直立姿勢時にヒップ下部や臀溝部に相当する箇所に弛みじわやだぶつきが発生しやすくなる。
【発明の効果】
【００１５】
本発明によれば、ヒップ下部をきれいに深く包み込むことができ、ヒップ裾ラインのずり上がりを防止できるばかりか、後ろ身頃の左右端縁と前身頃の左右端縁との縫い目、および後ろ足ぐり部の縁がアウターの外観にひびく心配のないショーツ等の衣料を得ることができて有利である。
【図面の簡単な説明】
【００１６】
【図１】本発明の一実施例のショーツの正面図である。
【図２】同ショーツの背面図である。
【図３】ショーツの左側面図である。
【図４】同ショーツの平面図である。
【図５】同ショーツの底面図である。
【図６】同ショーツの前身頃、後ろ身頃、及びまち部の展開平面図である。
【図７】同ショーツの前身頃の右半分及び大腿部前面覆い部分の展開平面図である。
【図８】大腿部前面覆い部分の他の実施例を示す展開平面図である。
【図９】同ショーツの前身頃の右半分及び大腿部前面覆い部分の他の実施例を示す展開平面図である。
【図１０】他の実施例のショーツの正面図である。
【図１１】同ショーツの背面図である。
【図１２】ショーツの左側面図である。
【図１３】同ショーツの平面図である。
【図１４】同ショーツの底面図である。
【図１５】従来例のショーツの正面図である。
【図１６】同ショーツを着用状態で示す背面図である。
【図１７】同ショーツの前身頃、後ろ身頃、及びまち部の展開平面図である。
【発明を実施するための形態】
【００１７】
以下、本発明のショーツ等の衣料の実施形態を図面に基づき説明する。
【００１８】
本発明に係る一例のショーツ１０は、図６に示すように、前身頃１１、後ろ身頃１２、及びまち部１３を主要構成部材としてなり、各部材は伸縮性を有する生地からなる。
【００１９】
図６において、前身頃１１はウエスト部１４と、このウエスト部１４の左右端にそれぞれ交わる左右端縁１５，１５を設ける。前身頃１１の下端には足ぐり（足口）１６，１６を形成する下方開放状の前足ぐり部１６ａ，１６ａを左右対称に切り込み形成し、左右の前足ぐり部１６ａ，１６ａ間に内股前部１７を設けている。前身頃１１の左右端縁１５，１５の各下端部は左右の前足ぐり部１６ａ，１６ａの下端部と交差する形に形成している。
【００２０】
図６に示すように、前身頃１１の左右端縁１５，１５の各上下方向中間部から各下端部までの間を外方凸形の円弧状の曲縁１５ａに形成する。曲縁１５ａの曲線は、椅子に座った時などに描くヒップ下部の曲線に可及的に近づける形状にするためである。ただし、その曲縁１５ａ全体のアールがきついと、直立姿勢時に当該箇所に弛みじわが発生しやすい。これを解消するため、その曲縁１５ａの上下方向中間部より下方部（臀溝部の直上部を覆う部分）１５ｂは直線または緩やかな曲線状に形成することが望ましい。普通サイズのショーツで前足ぐり部１６ａと曲縁１５ａの下方部１５ｂとが成す角度αは２５〜８０゜とし、より好ましくは４５〜６０゜としておく方がよい。
【００２１】
図６に示すように、後ろ身頃１２は左右二つに分割した左右後ろ身頃１２ａ，１２ａからなる。左右後ろ身頃１２ａ，１２ａはウエスト部２７と、このウエスト部２７の左右端にそれぞれ交わり、かつ後ろ身頃１２の後中心線Ｔ（図２参照）の位置に相当する後中心形成端縁１８と、後ろ身頃１２の左端縁又は右端縁に相当する前身頃側端縁１９と、前身頃側端縁１９の下端と交わって足ぐり１６を形成する後ろ足ぐり部（ヒップ裾ライン）１６ｂと、後中心形成端縁１８の下端と後ろ足ぐり部１６ｂとをつなぐ内股後部形成部２０とを設ける。左右後ろ身頃１２ａ，１２ａの後中心形成端縁１８，１８どうしを縫い合わせて後ろ身頃１２が形成され、また内股後部形成部２０，２０どうしで内股後部２１が形成される。
なお、左右後ろ身頃１２ａ，１２ａの後中心形成端縁１８，１８どうしの縫い合わせは、その場所がヒップ中心の谷間になるため、特別フラットな縫合でなくてもアウターの外観にはひびかず、縫合の種類は特に限定されるものではない。
また、左右後ろ身頃１２ａ，１２ａの後中心形成端縁１８，１８どうしの縫い合わせを不要にするため、後ろ身頃１２は一枚の伸縮性生地で左右後ろ身頃１２ａ，１２ａを一体にする形に形成することもできる。
なお、図６に示すように、前身頃１１の前中心線Ｓから左右端縁１５，１５までのＡ寸法と後ろ身頃１２の後中心線ＴまでのＢ寸法は略等しく設定している。
【００２２】
このように裁断された前身頃１１の左右端縁１５，１５と左後ろ身頃１２ａの右端縁（前身頃側端縁）１９および右後ろ身頃１２ａの左端縁（前身頃側端縁）１９、つまり後ろ身頃１２の左右端縁１９，１９とを縫い合わせて筒状に形成する（図１〜図５参照）。その際、図１５〜図１７に示す従来のものと同様に、前身頃１１の左右端縁１５，１５の各下端部を、左右の前足ぐり部１６ａ，１６ａの各下端部と交差させ、かつ、左右端縁１５，１５の各上下方向中間部から下端部までの間の部分を外方へ凸形の曲縁１５ａでつなぐ形に裁断し、該曲縁１５ａの上下方向中間部より下方部１５ｂは直線または曲線状に形成してあり、この前身頃１１の左右端縁１５，１５と後ろ身頃１２の左右端縁１９，１９を縫い合せることにより、そのヒップ部裾回りにヒップ下部及び臀溝部の体形に近い立体的な適度の膨らみができる。したがって、後ろ足ぐり部（ヒップ裾ライン）１６ｂがヒップの臀溝部に深くフィットしてヒップの下部を深く包み込むことができることになり、椅子に座ったり、激しく腰を曲げるなどして動いたりしても後ろ足ぐり部（ヒップ裾ライン）１６ｂがずり上がるのを防止できる。
【００２３】
特に注目すべきは、前身頃１１の左右端縁１５，１５と後ろ身頃１２の左右端縁である前身頃側端縁１９，１９との各縫い目Ｌは、図２〜図４に示すように、ヒップの両脇部位に該当するように、ショーツ１０の正面・背面に対して左右両脇に位置させて、アウターの後側から見てその縫い目Ｌが見えにくく、アウターの外観にひびかないようにしてある点である。
なお、上記各縫い目Ｌは、ショーツ１０の正面側（前側）の左右に位置させるようにしてもよい。
【００２４】
また、前身頃１１の下端中央に形成した内股前部１７と、後ろ身頃１２の下端中央に形成される内股後部２１とはまち部１３でつなぐ。前身頃１１の前足ぐり部１６ａの下方開放部分は、後ろ身頃１２の左右端縁１９，１９の下端と内股後部形成２１とをつなぐ後ろ足繰り部１６ｂと、まち部１３の端縁２３とでエンドレス状につながれて足ぐり（足口）１６が形成される。
【００２５】
足ぐり１６の前足ぐり部１６ａには、生地からなって太腿部の前面側を覆う大腿部前面覆い部分２４を前身頃１１に対して前方へ突出する立体形状に縫い付けて、足を動かしやすいようになしている。大腿部前面覆い部分２４を前身頃１１に対して前方へ突出する立体形状に縫い付けるにあたっては、図７（ｂ）のように大腿部前面覆い部分２４に、図７（ａ）に示す前足ぐり部１６ａの凹曲線の曲率半径よりも大きい曲率半径の凸曲線２５ａをもつ山部２５を設け、この山部２５を前足ぐり部１６ａの凹曲線に沿って縫い付ける。または図８のように直線状に形成した大腿部前面覆い部分２４を図７（ａ）に示す前足ぐり部１６ａの凹曲線に沿って縫い付ける。更にまた、図９（ａ）のように前足ぐり部１６ａをＶ形状に形成する一方、図９（ｂ）のように大腿部前面覆い部分２４に、前足ぐり部１６ａのＶ形状の角度θ２よりも大きい角度θ１を頂角とする山部２６を設け、この山部２６をＶ形状の前足ぐり部１６ａに縫い付ける。
【００２６】
足ぐり１６の後ろ足ぐり部１６ｂの縁は、アウターの外観にひびきにくいように、縫目がないヘム仕様または縁の始末をしないで切り放しのままとするフリーカットまたはその縁のほつれを止める縁かがりで構成する。
なお、足ぐり部１６ｂの縁を裁断して切り放された状態のままでもほつれの生じない後ろ身頃１２の伸縮性生地としては、伸縮性たて編地や、ほつれ止め機能があるよこ編地などフリーカット素材が用いられる。伸縮性たて編地は、非弾性糸と弾性糸とを同行させた１×１編み組織を基本としたものである（例えば、特開２００３−１４７６１８号公報参照）。よこ編地は、熱融着弾性糸とそれ以外の糸で編みたてられてヒートセット加工により前記熱融着弾性糸を溶融してほつれ止め機能が付与された編地であるとともに、この編地が熱融着弾性糸とそれ以外の糸をプレーティング編により編みたてられているものである（例えば、特開２００５−１１３３４９号公報参照）。
【００２７】
図６に示すように、後ろ身頃１２の左右端縁１９，１９の下端部どうし間の幅Ｐは前身頃１１の左右端縁１５，１５の下端部どうし間の幅Ｈよりも大きく設定する。具体的には、後ろ身頃１２の左右端縁１９，１９の下端部どうし間の幅寸法をＰとし、前身頃１１の左右端縁１５，１５の下端部どうし間の幅寸法をＨとしたとき、その比率Ｐ／Ｈは１を超え、２．５以下の範囲に設定している。このように後ろ身頃１２の左右端縁１９，１９の下端部どうし間の幅寸法Ｐを前身頃１１の左右端縁１５，１５の下端部どうし間の幅寸法Ｈよりも大きくすることで、ヒップを脇から広く包み込むことができるので、屈伸時におけるヒップ裾ラインのずり上がり防止効果を高めることができる。
【００２８】
なお、前身頃１１のウエスト部１４及び後ろ身頃１２のウエスト部２７には図１〜図４に示すごとくストレッチレース２８を縫い付けている。
【００２９】
上記実施例では太腿部の前面側を覆う大腿部前面覆い部分２４が透かし模様の無い生地からなるが、これに代えて図１０〜図１４に示すようにレースからなる大腿部前面覆い部分２４を、前足ぐり部１６ａに前身頃１１に対して前方へ突出する立体形状に縫い付けるもよい。これによれば足を動かし易いとともに、エレガントでデザイン性に優れるショーツを得ることができる。
【００３０】
本発明は、ショーツに限られず、パンツ、水着、レオタードなどにも同様に適用でき、また男性用のブリーフにも同様に適用できる。
【符号の説明】
【００３１】
１０  ショーツ
１１  前身頃
１２  後ろ身頃
１５，１５  前身頃の左右端縁
１５ａ  曲縁
１５ｂ  下方部
１６  足ぐり（足口）
１６ａ  前足ぐり部
１６ｂ  後ろ足ぐり部
１９  後ろ身頃の左右端縁
２４  大腿部前面覆い部分
Ｌ  縫い目
Ｐ  左右端縁１９，１９の下端部間の幅
Ｈ  左右端縁（１５，１５）の下端部間の幅
【図１】
2012023208.tif 000003
【図２】
2012023208.tif 000004
【図３】
2012023208.tif 000005
【図４】
2012023208.tif 000006
【図５】
2012023208.tif 000007
【図６】
2012023208.tif 000008
【図７】
2012023208.tif 000009
【図８】
2012023208.tif 000010
【図９】
2012023208.tif 000011
【図１０】
2012023208.tif 000012
【図１１】
2012023208.tif 000013
【図１２】
2012023208.tif 000014
【図１３】
2012023208.tif 000015
【図１４】
2012023208.tif 000016
【図１５】
2012023208.tif 000017
【図１６】
2012023208.tif 000018
【図１７】
2012023208.tif 000019
【手続補正書】
【提出日】平成22年12月16日(2010.12.16)
【手続補正１】
【補正対象書類名】特許請求の範囲
【補正対象項目名】全文
【補正方法】変更
【補正の内容】
【特許請求の範囲】
【請求項１】
足ぐり（１６）を形成する前足ぐり部（１６ａ）を左右対称に形成した伸縮性を有する前身頃（１１）の左右端縁（１５，１５）と、足ぐり（１６）を形成する後ろ足ぐり部（１６ｂ）を左右対称に形成した伸縮性を有する後ろ身頃（１２）の左右端縁（１９，１９）とを縫い合せて構成しているショーツ等の衣料において、
上記前身頃（１１）の左右端縁（１５，１５）と上記後ろ身頃（１２）の左右端縁（１９，１９）との縫い目（Ｌ）はヒップの両脇から前側の部位に位置設定して上記後ろ身頃（１２）をヒップの両脇から後側及び臀溝部に亘って包み込む大きさに形成し、
上記後ろ身頃（１２）の後ろ足ぐり部（１６ｂ）はその縁を縫目がないヘム仕様またはフリーカットまたはその縁のほつれを止める縁かがりで構成しており、
上記足ぐり（１６）の前足ぐり部（１６ａ）に、生地もしくはレースよりなって太腿部の前面側を覆う大腿部前面覆い部分（２４）を上記前身頃（１１）に対して前方へ突出する立体形状に縫い付けていることを特徴とする、ショーツ等の衣料。
【請求項２】
請求項１記載のショーツ等の衣料において、後ろ身頃（１２）の左右端縁（１９，１９）の下端部間の幅（Ｐ）は前身頃（１１）の左右端縁（１５，１５）の下端部間の幅（Ｈ）よりも大きく設定していることを特徴とする、ショーツ等の衣料。
【請求項３】
請求項２記載のショーツ等の衣料において、後ろ身頃（１２）の左右端縁（１９，１９）の下端部間の幅寸法をＰとし、前身頃（１１）の左右端縁（１５，１５）の下端部間の幅寸法をＨとしたとき、その比率Ｐ／Ｈは１を超え、２．５以下の範囲に設定していることを特徴とする、ショーツ等の衣料。
【手続補正２】
【補正対象書類名】明細書
【補正対象項目名】全文
【補正方法】変更
【補正の内容】
【書類名】明細書
【発明の名称】ショーツ等の衣料
【技術分野】
【０００１】
本発明はショーツ、パンツ、水着、レオタード、ブリーフ等の衣料に係り、より詳しくは、ヒップ下部の膨らみ体形へのフィット性に優れ、歩行時や屈み姿勢時等においてヒップ裾ラインがずり上がるのを防止し快適な履き心地のショーツ等の衣料の改良に関する。
【背景技術】
【０００２】
この種のショーツ等の衣料として、先に、同一出願人により、図１５〜図１７に示すように、足ぐり（足口）１６を形成する下方開放状の前足ぐり部１６ａを左右対称に形成した伸縮性を有する前身頃１１の左右端縁１５，１５の各下端部を、左右の前足ぐり部１６ａ，１６ａの下端部と交差させ、かつ、前記左右端縁１５，１５の各上下方向中間部から下端部までの間の部分を外方へ凸形の曲縁１５ａでつなぐ形に裁断し、該曲線１５ａの上下方向中間部より下方部１５ｂは直線または曲線状に形成してあり、伸縮性を有する後ろ身頃１２の左右端縁１９，１９と前身頃１１の左右端縁１５，１５とは縫い合せ、この縫い目Ｌが後部ウエスト部１４，２７からヒップの頂部３０より外側に迂回してヒップ裾ライン（後ろ足ぐり部）１６ｂに至るように形成したものが提案されている（特許文献１参照。）。また、その足ぐり１６の全周（前足ぐり部１６ａ、および前足ぐり部１６ａの下部から後ろ身頃１２に設けた後ろ足ぐり部１６ｂにわたる後ろ足ぐり部領域）には帯状のゴム３１が縫い付けられている。
【０００３】
このようなショーツ等の衣料によれば、未着用状態でヒップ部裾回りの体型に近い立体的な適度の膨らみを得ることができるため、着用時にはヒップ裾ライン（後ろ足ぐり部）１６ｂが臀溝部に深くフィットしてヒップ下部を深く包み込むことができることになり、激しく腰を曲げるなどして動いてもヒップ裾ラインのずり上がりをよく防止できる。
【０００４】
また、前身頃１１と後ろ身頃１２の縫合線Ｌがヒップ頂部３０を避けて、その頂部３０の外側に迂回するというパターンになるため、ヒップ下部を深く包み込むようにヒップ裾線を下方に延出させるパターンを採用しても、前身頃１１と後ろ身頃１２の縫合線Ｌがヒップ頂部３０を通るようにした在来のものの場合のように直立姿勢時にヒップ下部や臀溝部に相当する箇所に弛みじわやだぶつきを殆ど出す事なく、ヒップを広く深く包み込むことが可能となる。
【先行技術文献】
【特許文献】
【０００５】
【特許文献１】国際公開番号（ＷＯ２０００／０７２７０７）
【発明の概要】
【発明が解決しようとする課題】
【０００６】
しかしながら、上記ショーツ等の衣料では、後ろ身頃１２の左右端縁１９，１９と前身頃１１の左右端縁１５，１５との縫い目Ｌがヒップ頂部３０を避けて、その頂部の外側に迂回させてあるが、このように迂回した縫い目Ｌは依然としてショーツの背面側に存在するため、タイトなアウターを着用したときにはアウターの後側から見てその縫い目Ｌのラインがわかりアウターの外観にひびくという心配があった。
【０００７】
また、前足ぐり部１６ａの下部から後ろ身頃１２に設けた後ろ足ぐり部１６ｂにわたる後ろ足ぐり部領域にわたって帯状のゴム３１が縫い付けられているため、その後ろ足ぐり部領域に段差ができ、アウターの後側から見てその帯状ゴム３１の縫目の厚みがアウターの外観にひびくという不安があった。
【０００８】
本発明は、このような問題点を解決するためになされたもので、ヒップ下部をきれいに深く包み込むことができ、ヒップ裾ラインのずり上がりを防止できることを確保し得ながら、後ろ身頃の左右端縁と前身頃の左右端縁との縫い目、および後ろ足ぐり部の縁がアウターの外観にひびく心配のないショーツ等の衣料を提供することを目的とする。
【課題を解決するための手段】
【０００９】
本発明の請求項１に係るショーツ等の衣料は、その発明の内容を理解しやすくするために図１〜図１４に付した符号を付けて説明すると、足ぐり（１６）を形成する前足ぐり部（１６ａ）を左右対称に形成した伸縮性を有する前身頃（１１）の左右端縁（１５，１５）と、足ぐり（１６）を形成する後ろ足ぐり部（１６ｂ）を左右対称に形成した伸縮性を有する後ろ身頃（１２）の左右端縁（１９，１９）とを縫い合せて構成しているショーツ等の衣料において、
上記前身頃（１１）の左右端縁（１５，１５）と上記後ろ身頃（１２）の左右端縁（１９，１９）との縫い目（Ｌ）はヒップの両脇から前側の部位に位置設定して上記後ろ身頃（１２）をヒップの両脇から後側及び臀溝部に亘って包み込む大きさに形成し、
上記後ろ身頃（１２）の後ろ足ぐり部（１６ｂ）はその縁を縫目がないヘム仕様またはフリーカットまたはその縁のほつれを止める縁かがりで構成しており、
上記足ぐり（１６）の前足ぐり部（１６ａ）に、生地もしくはレースよりなって太腿部の前面側を覆う大腿部前面覆い部分（２４）を上記前身頃（１１）に対して前方へ突出する立体形状に縫い付けていることを特徴とするものである。
【００１０】
上記のように構成された衣料によれば、後ろ身頃（１２）でヒップの両脇から後側及び臀溝部に亘って広く包み込むので、腰を繰り返し曲げるなどして動いてもヒップ裾ラインのずり上がりを効果的に防止することができる。 
【００１１】
特に、前身頃（１１）の左右端縁（１５，１５）と後ろ身頃（１２）の左右端縁（１９，１９）との縫い目（Ｌ）はヒップの後側に位置しないため、タイトな薄いアウターを着用したとしてもアウターの後側から見てその縫い目（Ｌ）が見えず（または非常に見えにくくなり）、アウターのヒップ面にひびいてアウターの外観を低下させるという心配を解消することができる。
また、足ぐり（１６）の後ろ足ぐり部（１６ｂ）の縁は、縫目がないヘム仕様または切り放しのままにするフリーカットまたはその縁のほつれを止める縁かがりで構成しているので、後ろ足ぐり部の段差ができず、アウターのヒップ下側の外観を向上させることができる。
【００１２】
また、前足ぐり部（１６ａ）に大腿部前面覆い部分（２４）を前身頃（１１）に対して前方へ突出する立体形状に縫い付けているため、座っても大腿部前面覆い部分（２４）が巻き上がらず、圧迫しないため、着用者は足を動かしやすくなる。
特に、後ろ足ぐり部（１６ｂ）は縫目がないヘム仕様または切り放しのままにするフリーカットまたはその縁のほつれを止める縁かがりで構成し、前足ぐり部（１６ａ）のみに大腿部前面覆い部分（２４）を縫い付けているため、足の動かしやすさを確保し得ながら後ろ足ぐり部（１６ｂ）がアウターの外観にひびくのを防ぐことができる。
【００１３】
請求項２に係る発明は、請求項１記載のショーツ等の衣料において、後ろ身頃（１２）の左右端縁（１９，１９）の下端部間の幅（Ｐ）は前身頃（１１）の左右端縁（１５，１５）の下端部間の幅（Ｈ）よりも大きく設定していることを特徴とするものである。
これによると、後ろ身頃（１２）の左右端縁（１９，１９）の下端部間の幅寸法（Ｐ）を前身頃（１１）の左右端縁（１５，１５）の下端部間の幅寸法（Ｈ）よりも大きくすることで、ヒップを脇から広く包み込むことができるので、屈伸時におけるヒップ裾ラインのずり上がり防止効果をより高めることができる。  請求項３に係る発明は、請求項２記載のショーツ等の衣料において、後ろ身頃（１２）の左右端縁（１９，１９）の下端部間の幅寸法をＰとし、前身頃（１１）の左右端縁（１５，１５）の下端部間の幅寸法をＨとしたとき、その比率Ｐ／Ｈは１を超え、２．５以下の範囲に設定していることに特徴を有するものである。Ｐ／Ｈが１未満ではヒップを脇から包み込むことが不十分になり、Ｐ／Ｈが２．５を超えると直立姿勢時にヒップ下部や臀溝部に相当する箇所に弛みじわやだぶつきが発生しやすくなる。
【発明の効果】
【００１５】
本発明によれば、ヒップ下部をきれいに深く包み込むことができ、ヒップ裾ラインのずり上がりを防止できるばかりか、後ろ身頃の左右端縁と前身頃の左右端縁との縫い目、および後ろ足ぐり部の縁がアウターの外観にひびく心配のないショーツ等の衣料を得ることができて有利である。
【図面の簡単な説明】 
【００１６】
【図１】本発明の一実施例のショーツの正面図である。
【図２】同ショーツの背面図である。
【図３】ショーツの左側面図である。
【図４】同ショーツの平面図である。
【図５】同ショーツの底面図である。
【図６】同ショーツの前身頃、後ろ身頃、及びまち部の展開平面図である。
【図７】同ショーツの前身頃の右半分及び大腿部前面覆い部分の展開平面図である。
【図８】大腿部前面覆い部分の他の実施例を示す展開平面図である。
【図９】同ショーツの前身頃の右半分及び大腿部前面覆い部分の他の実施例を示す展開平面図である。
【図１０】他の実施例のショーツの正面図である。
【図１１】同ショーツの背面図である。
【図１２】ショーツの左側面図である。
【図１３】同ショーツの平面図である。
【図１４】同ショーツの底面図である。
【図１５】従来例のショーツの正面図である。
【図１６】同ショーツを着用状態で示す背面図である。
【図１７】同ショーツの前身頃、後ろ身頃、及びまち部の展開平面図である。
【発明を実施するための形態】
【００１７】
以下、本発明のショーツ等の衣料の実施形態を図面に基づき説明する。
【００１８】
本発明に係る一例のショーツ１０は、図６に示すように、前身頃１１、後ろ身頃１２、及びまち部１３を主要構成部材としてなり、各部材は伸縮性を有する生地からなる。
【００１９】
図６において、前身頃１１はウエスト部１４と、このウエスト部１４の左右端にそれぞれ交わる左右端縁１５，１５を設ける。前身頃１１の下端には足ぐり（足口）１６，１６を形成する下方開放状の前足ぐり部１６ａ，１６ａを左右対称に切り込み形成し、左右の前足ぐり部１６ａ，１６ａ間に内股前部１７を設けている。前身頃１１の左右端縁１５，１５の各下端部は左右の前足ぐり部１６ａ，１６ａの下端部と交差する形に形成している。
【００２０】
図６に示すように、前身頃１１の左右端縁１５，１５の各上下方向中間部から各下端部までの間を外方凸形の円弧状の曲縁１５ａに形成する。曲縁１５ａの曲線は、椅子に座った時などに描くヒップ下部の曲線に可及的に近づける形状にするためである。ただし、その曲縁１５ａ全体のアールがきついと、直立姿勢時に当該箇所に弛みじわが発生しやすい。これを解消するため、その曲縁１５ａの上下方向中間部より下方部（臀溝部の直上部を覆う部分）１５ｂは直線または緩やかな曲線状に形成することが望ましい。普通サイズのショーツで前足ぐり部１６ａと曲縁１５ａの下方部１５ｂとが成す角度αは２５〜８０゜とし、より好ましくは４５〜６０゜としておく方がよい。
【００２１】
図６に示すように、後ろ身頃１２は左右二つに分割した左右後ろ身頃１２ａ，１２ａからなる。左右後ろ身頃１２ａ，１２ａはウエスト部２７と、このウエスト部２７の左右端にそれぞれ交わり、かつ後ろ身頃１２の後中心線Ｔ（図２参照）の位置に相当する後中心形成端縁１８と、後ろ身頃１２の左端縁又は右端縁に相当する前身頃側端縁１９と、前身頃側端縁１９の下端と交わって足ぐり１６を形成する後ろ足ぐり部（ヒップ裾ライン）１６ｂと、後中心形成端縁１８の下端と後ろ足ぐり部１６ｂとをつなぐ内股後部形成部２０とを設ける。左右後ろ身頃１２ａ，１２ａの後中心形成端縁１８，１８どうしを縫い合わせて後ろ身頃１２が形成され、また内股後部形成部２０，２０どうしで内股後部２１が形成される。
なお、左右後ろ身頃１２ａ，１２ａの後中心形成端縁１８，１８どうしの縫い合わせは、その場所がヒップ中心の谷間になるため、特別フラットな縫合でなくてもアウターの外観にはひびかず、縫合の種類は特に限定されるものではない。
また、左右後ろ身頃１２ａ，１２ａの後中心形成端縁１８，１８どうしの縫い合わせを不要にするため、後ろ身頃１２は一枚の伸縮性生地で左右後ろ身頃１２ａ，１２ａを一体にする形に形成することもできる。
なお、図６に示すように、前身頃１１の前中心線Ｓから左右端縁１５，１５までのＡ寸法と後ろ身頃１２の後中心線ＴまでのＢ寸法は略等しく設定している。
【００２２】
このように裁断された前身頃１１の左右端縁１５，１５と左後ろ身頃１２ａの右端縁（前身頃側端縁）１９および右後ろ身頃１２ａの左端縁（前身頃側端縁）１９、つまり後ろ身頃１２の左右端縁１９，１９とを縫い合わせて筒状に形成する（図１〜図５参照）。その際、図１５〜図１７に示す従来のものと同様に、前身頃１１の左右端縁１５，１５の各下端部を、左右の前足ぐり部１６ａ，１６ａの各下端部と交差させ、かつ、左右端縁１５，１５の各上下方向中間部から下端部までの間の部分を外方へ凸形の曲縁１５ａでつなぐ形に裁断し、該曲縁１５ａの上下方向中間部より下方部１５ｂは直線または曲線状に形成してあり、この前身頃１１の左右端縁１５，１５と後ろ身頃１２の左右端縁１９，１９を縫い合せることにより、そのヒップ部裾回りにヒップ下部及び臀溝部の体形に近い立体的な適度の膨らみができる。したがって、後ろ足ぐり部（ヒップ裾ライン）１６ｂがヒップの臀溝部に深くフィットしてヒップの下部を深く包み込むことができることになり、椅子に座ったり、激しく腰を曲げるなどして動いたりしても後ろ足ぐり部（ヒップ裾ライン）１６ｂがずり上がるのを防止できる。
【００２３】
特に注目すべきは、前身頃１１の左右端縁１５，１５と後ろ身頃１２の左右端縁である前身頃側端縁１９，１９との各縫い目Ｌは、図２〜図４に示すように、ヒップの両脇部位に該当するように、ショーツ１０の正面・背面に対して左右両脇に位置させて、アウターの後側から見てその縫い目Ｌが見えにくく、アウターの外観にひびかないようにしてある点である。
なお、上記各縫い目Ｌは、ショーツ１０の正面側（前側）の左右に位置させるようにしてもよい。
【００２４】
また、前身頃１１の下端中央に形成した内股前部１７と、後ろ身頃１２の下端中央に形成される内股後部２１とはまち部１３でつなぐ。前身頃１１の前足ぐり部１６ａの下方開放部分は、後ろ身頃１２の左右端縁１９，１９の下端と内股後部形成２１とをつなぐ後ろ足繰り部１６ｂと、まち部１３の端縁２３とでエンドレース状につながれて足ぐり（足口）１６が形成される。
【００２５】
足ぐり１６の前足ぐり部１６ａには、生地からなって太腿部の前面側を覆う大腿部前面覆い部分２４を前身頃１１に対して前方へ突出する立体形状に縫い付けて、足を動かしやすいようになしている。大腿部前面覆い部分２４を前身頃１１に対して前方へ突出する立体形状に縫い付けるにあたっては、図７（ｂ）のように大腿部前面覆い部分２４に、図７（ａ）に示す前足ぐり部１６ａの凹曲線の曲率半径よりも大きい曲率半径の凸曲線２５ａをもつ山部２５を設け、この山部２５を前足ぐり部１６ａの凹曲線に沿って縫い付ける。または図８のように直線状に形成した大腿部前面覆い部分２４を図７（ａ）に示す前足ぐり部１６ａの凹曲線に沿って縫い付ける。更にまた、図９（ａ）のように前足ぐり部１６ａをＶ形状に形成する一方、図９（ｂ）のように大腿部前面覆い部分２４に、前足ぐり部１６ａのＶ形状の角度θ２よりも大きい角度θ１を頂角とする山部２６を設け、この山部２６をＶ形状の前足ぐり部１６ａに縫い付ける。
【００２６】
足ぐり１６の後ろ足ぐり部１６ｂの縁は、アウターの外観にひびきにくいように、縫目がないヘム仕様または縁の始末をしないで切り放しのままとするフリーカットまたはその縁のほつれを止める縁かがりで構成する。
なお、足ぐり部１６ｂの縁を裁断して切り放された状態のままでもほつれの生じない後ろ身頃１２の伸縮性生地としては、伸縮性たて編地や、ほつれ止め機能があるよこ編地などフリーカット素材が用いられる。伸縮性たて編地は、非弾性糸と弾性糸とを同行させた１×１編み組織を基本としたものである（例えば、特開２００３−１４７６１８号公報参照）。よこ編地は、熱融着弾性糸とそれ以外の糸で編みたてられてヒートセット加工により前記熱融着弾性糸を溶融してほつれ止め機能が付与された編地であるとともに、この編地が熱融着弾性糸とそれ以外の糸をプレーティング編により編みたてられているものである（例えば、特開２００５−１１３３４９号公報参照）。
【００２７】
図６に示すように、後ろ身頃１２の左右端縁１９，１９の下端部どうし間の幅Ｐは前身頃１１の左右端縁１５，１５の下端部どうし間の幅Ｈよりも大きく設定する。具体的には、後ろ身頃１２の左右端縁１９，１９の下端部どうし間の幅寸法をＰとし、前身頃１１の左右端縁１５，１５の下端部どうし間の幅寸法をＨとしたとき、その比率Ｐ／Ｈは１を超え、２．５以下の範囲に設定している。このように後ろ身頃１２の左右端縁１９，１９の下端部どうし間の幅寸法Ｐを前身頃１１の左右端縁１５，１５の下端部どうし間の幅寸法Ｈよりも大きくすることで、ヒップを脇から広く包み込むことができるので、屈伸時におけるヒップ裾ラインのずり上がり防止効果を高めることができる。
【００２８】
なお、前身頃１１のウエスト部１４及び後ろ身頃１２のウエスト部２７には図１〜図４に示すごとくストレッチレース２８を縫い付けている。
【００２９】
上記実施例では太腿部の前面側を覆う大腿部前面覆い部分２４が透かし模様の無い生地からなるが、これに代えて図１０〜図１４に示すようにレースからなる大腿部前面覆い部分２４を、前足ぐり部１６ａに前身頃１１に対して前方へ突出する立体形状に縫い付けるもよい。これによれば足を動かし易いとともに、エレガントでデザイン性に優れるショーツを得ることができる。
【００３０】
本発明は、ショーツに限られず、パンツ、水着、レオタードなどにも同様に適用でき、また男性用のブリーフにも同様に適用できる。
【符号の説明】
【００３１】
１０  ショーツ
１１  前身頃
１２  後ろ身頃
１５，１５  前身頃の左右端縁
１５ａ  曲縁
１５ｂ  下方部
１６  足ぐり（足口）
１６ａ  前足ぐり部
１６ｂ  後ろ足ぐり部
１９  後ろ身頃の左右端縁
２４  大腿部前面覆い部分
Ｌ  縫い目
Ｐ  左右端縁１９，１９の下端部間の幅
Ｈ  左右端縁（１５，１５）の下端部間の幅
【国際調査報告】
2012023208.tif 000020
2012023208.tif 000021
2012023208.tif 000022
2012023208.tif 000023